(57)【特許請求の範囲】
【請求項１】
任意の表示画面中で完成した映像内容を表示するための映像情報に関して、少なくとも特定の表示領域の映像を欠落させ、当該欠落部分以外の映像情報を第１の情報信号とし、前記欠落部分の映像情報を第２の情報信号としたとき、当該第１及び第２の情報信号の各々に識別信号が挿入され、少なくともどちらか一方にスクランブルがかけられている第１及び第２の情報信号を異なった配信系から得て当該情報を処理する装置であって、
一方の前記配信系から第１の情報信号を得て情報処理し、その第１の情報信号にスクランブルがかけられている場合はそのスクランブルを解除する第１の情報処理手段と、
他方の前記配信系から第２の情報信号を得て情報処理し、その第２の情報信号にスクランブルがかけられている場合はそのスクランブルを解除する第２の情報処理手段と、
前記第１の情報処理手段によって情報処理された前記第１の情報信号と前記第２の情報処理手段によって情報処理された前記第２の情報信号とを合成する合成手段と、
前記第１の情報信号に挿入された識別信号と、前記第２の情報信号に挿入された識別信号とを比較し、前記識別信号が一致した場合に、前記欠落部分以外の映像情報に前記欠落部分の映像情報を合成するように前記合成手段を制御する合成制御手段とを備えることを特徴とする情報処理装置。
【発明の詳細な説明】
【０００１】
【産業上の利用分野】
この発明は、光ファイバーを伝送媒体として使用した信号や衛星放送波と地上波などを組み合わせて１つのまとまった情報を提供するようにした伝送システムに適用して好適な情報処理装置に関する。
【０００２】
【従来の技術】
現在、地上波や衛星放送波を使用した情報伝送システムにあって、情報の秘匿を図る手段としては、その情報を伝達する地上波あるいは衛星放送波自体をスクランブル処理する方法が採られている。この場合、１系統から伝送された地上波そのものを単にデスクランブルするだけであるまとまった情報を復元できるようになっている。衛星放送波を利用する場合も同じである。
【０００３】
【発明が解決しようとする課題】
そのため、伝送された情報に対してデスクランブル処理しない限り、どのような情報が伝送されているのかその大間かな内容ですらユーザは知ることができない。
【０００４】
デスクランブル前の状態のままではユーザに対する適切な刺激剤とはならず、情報の取捨選択もできない。このような場合には、情報の一部分を表示することによってそのままユーザがその情報を理解できるようにすれば、その一部分の内容のみでユーザが欲する情報かどうかを選択できるようになるので、ユーザにとっては非常に便利である。
【０００５】
この一部分の情報に対してはスクランブルがかけられていないので、この一部分の情報を自己宣伝効果などにも利用できる。一部分の情報としては、１つの情報の一部分であってもよいし、２つの情報を合成して始めて意味のある情報となるものでもよいことになる。
【０００６】
そこで、この発明はこのような従来の課題を解決したものであって、情報を２以上に分けて伝送し、両情報を合成して始めて意味のある情報が再現されるようにした情報処理装置を提案するものである。
【０００７】
【課題を解決するための手段】
上述の課題を解決するため、この発明においては、任意の表示画面中で完成した映像内容を表示するための映像情報に関して、少なくとも特定の表示領域の映像を欠落させ、当該欠落部分以外の映像情報を第１の情報信号とし、前記欠落部分の映像情報を第２の情報信号としたとき、当該第１及び第２の情報信号の各々に識別信号が挿入され、少なくともどちらか一方にスクランブルがかけられている第１及び第２の情報信号を異なった配信系から得て当該情報を処理する装置であって、
一方の前記配信系から第１の情報信号を得て情報処理し、その第１の情報信号にスクランブルがかけられている場合はそのスクランブルを解除する第１の情報処理手段と、
他方の前記配信系から第２の情報信号を得て情報処理し、その第２の情報信号にスクランブルがかけられている場合はそのスクランブルを解除する第２の情報処理手段と、
前記第１の情報処理手段によって情報処理された前記第１の情報信号と前記第２の情報処理手段によって情報処理された前記第２の情報信号とを合成する合成手段と、
前記第１の情報信号に挿入された識別信号と、前記第２の情報信号に挿入された識別信号とを比較し、前記識別信号が一致した場合に、前記欠落部分以外の映像情報に前記欠落部分の映像情報を合成するように前記合成手段を制御する合成制御手段とを備えることを特徴とするものである。
【０００８】
【作用】
第１および第２の情報信号としては、アナログ画像信号、アナログオーディオ信号、ディジタル画像信号、ディジタルオーディオ信号、ディジタルデータ、コンピュータプログラムデータ、コンピュータデータの何れかが使用され、第１の情報信号は地上波若しくはパッケージメディアが使用される。
【０００９】
第２の情報信号は光ファイバーより伝送された信号若しくは衛星放送波が使用される。
【００１０】
図２は第１の情報信号としてアンテナ１２より供給された地上波が使用され、第２の情報信号としては光ファイバーケーブル端子１４から供給された信号（例えばＩＮＳ６４など）が使用される。第１と第２の情報信号は合成制御手段を構成する信号処理手段１６において図４に示すような処理が行われる。
【００１１】
図４のように第１および第２の情報信号にはそれぞれ信号の有効部分ＶＡ，ＶＢと無効部分ＩＡ，ＩＢが存在し、第１および第２の情報信号の有効部分同士を合成することによって１つのまとまった情報が表示される。このとき、第１の情報信号に挿入された識別信号と、第２の情報信号に挿入された識別信号とが比較され、識別信号が一致したとき、画像の合成処理が行われる。
【００１２】
ここで、第２の情報信号が主画面を構成し、第１の情報信号は補助画面を構成するものとすれば、補助画面のみでは画面全体の情報を知ることができないので、補助画面を見てユーザがその情報を価値あるものと感じたとき、主画面情報を入手することによって完全な情報が提供されることになる。
【００１３】
家庭内の端末装置として衛星放送波受信手段や光ファイバー端末が提供されるときこの伝送システムが特に有効となる。
【００１４】
【実施例】
続いて、この発明に係る情報処理装置の一例を上述した伝送システムに適用した場合につき、図面を参照して詳細に説明する。
【００１５】
まず、図２に示したこの発明に係る情報処理装置１０の基本概念図から説明する。この発明では第１と第２の情報信号を合成することによって始めて意味のあるあるまとまった画像情報がＣＲＴなどの表示装置上に表示される。また、本例では第２の情報信号に基づく画像情報ＰＡを主画面情報とし、第１の情報信号に基づく画像情報ＰＢを補助画面信号とする。
【００１６】
第１および第２の情報信号としては、アナログ画像信号、アナログオーディオ信号、ディジタル画像信号、ディジタルオーディオ信号、ディジタルデータ、コンピュータプログラムデータ、コンピュータデータの何れかが使用され、第１の情報信号は地上波若しくはパッケージメディアが使用される。
【００１７】
以下の例では、第１の情報信号として地上波を利用したアナログ画像信号を、第２の情報信号としては地上波とは別の伝送路によって伝送された信号、例えば光ファイバーによって伝送されたディジタル画像信号を使用した場合を示す。
【００１８】
図２において、１２は地上波を受信するためのアンテナであり、端子１４は光ファイバーケーブルによって伝送されたディジタル画像信号の受信端子であり、光ファイバー系の端末装置の終端部である。
【００１９】
アンテナ１２で受信された第１の情報信号ＳＡ（テレビジョン信号と同様な形態となされた信号）と、端子１４に供給された第２の情報信号ＳＢはそれぞれ合成制御手段として機能する信号処理手段１６に供給されて両信号が合成される。
【００２０】
この場合、第１の情報信号ＳＡによる画像情報ＰＡの表示領域は図３Ａの斜線図示の領域（この領域は任意に設定できる）とし、第２の情報信号ＳＢによる画像情報ＰＢの表示領域は同図Ｂの斜線図示の領域（画像情報ＰＡの残りの表示領域）としたときには、両画像情報を合成してＣＲＴなどの表示装置１８（図２）に供給することによって図３Ｃに示すような合成画像が得られる。
【００２１】
第２の画像情報ＰＢが主画面情報を構成することになるから、合成画像によって始めて意味のある、あるまとまった情報が表示される。ただし、第１の画像情報ＰＡの補助画面情報だけで、その画面内容が全く理解できない訳ではなく、この補助画面情報のみでもある程度全体画面の予測が付くように、第１の画像情報ＰＡの表示領域（大きさや表示位置など）が定められるものとする。
【００２２】
第１および第２の情報信号ＳＡ，ＳＢは図４に示すようにそれぞれが有効部分ＶＡ，ＶＢと無効部分ＩＡ，ＩＢとで構成されており、有効部分ＶＡ，ＶＢはこれによって図３に示すような画像情報ＰＡ，ＰＢが形成される。
【００２３】
これに対して、無効部分ＩＡ，ＩＢは画像情報としては寄与しない部分であり、したがってここにはスクランブルなどのときの暗号化のための情報を始めとして、信号レベルを白や黒などの一定値にするための制御情報、あるいは情報信号とは全く関係のない情報を挿入するための信号（コマーシャル情報やスクランブルを解除するためのインフォメーション情報など）の挿入領域などとして使用することができる。
【００２４】
第１の情報信号ＳＡと第２の情報信号ＳＢは双方同時に供給されるものではなく、例えば第１の情報信号ＳＡは無料とし、第２の情報信号ＳＢのみ有料としてユーザに供給されれる。スクランブルをかけるときには第１と第２の情報信号ＳＡ，ＳＢの何れか若しくは双方に対してスクランブルすることが考えられるが、実際にはスクランブルをかけない方が第２の情報信号を入手するための加入手続を速める結果となるものと思われる。
【００２５】
図２にあって、２０はキーボードであり、これより指令に基づいて合成画像の処理内容が制御される。第１および第２の情報信号ＳＡ，ＳＢは予め図４Ａ，Ｂのように、それぞれ有効部分ＶＡ，ＶＢと無効部分ＩＡ，ＩＢとが存在する状態で伝送されたものであってもよければ、キーボード２０からの指令に基づいて図４Ａあるいは図４Ｂのような信号形態に生成し直したものでもよい。
【００２６】
例えば、専用の地上波を使用する場合やパッケージメディアを使用する場合には図４Ａのように既に加工された第１の情報信号ＳＡを使用するのが便利であり、その場合には同図Ｂのような第１の情報信号ＳＡに対する専用の第２の情報信号ＳＢが有償で提供されることになり、ユーザ側の端末もその分簡単になる。
【００２７】
図１はこのような情報処理装置１０の具体例を示す。第１および第２の情報信号ＳＡ，ＳＢは既に図４のように加工されているものとする。
【００２８】
アンテナ１２で受信された第１の情報信号ＳＡは復調回路２２で復調されその復調出力（説明の便宜上第１の情報信号という）ＳＡは信号合成処理が行われる加算器３８に供給される。第１の情報信号ＳＡより分離された同期信号に基づいてＰＬＬ回路２４が駆動されて入力同期信号に同期した同期信号が生成され、これがタイミング信号の発生回路２６に供給されて、タイミング信号として機能する各種のクロック信号（ライトクロック信号など）が生成される。
【００２９】
タイミング信号発生回路２６にはキーボード２０が接続され、必要時タイミング信号の発生タイミングや後述するビデオメモリ３４に対するライトおよびリードタイミングなどが制御される。
【００３０】
光ファイバーケーブル端子１４として本例ではディジタル入力端子１４ａとアナログ入力端子１４ｂとが設けられる。それぞれには光ファイバーなどの伝送線路が終端された端末装置（図示しない）が接続されている。ディジタル信号である第２の情報信号ＳＢはデコーダ３０でデコード処理がなされ、またアナログ信号として供給された第２の情報信号ＳＢはＡ／Ｄ変換器３２によって一旦ディジタル信号に変換され、それぞれがビデオメモリ３４に供給される。
【００３１】
ビデオメモリ３４には何れか一方の信号が発生回路２６より出力されたライトクロック信号に基づいてライトされる。同じくこの発生回路２６より出力されたリードクロック信号でデータのリードが行われ、これがＤ／Ａ変換器３６でアナログ信号に戻される。
【００３２】
アナログ化された第２の情報信号ＳＢは第１の情報信号ＳＡと共に加算器３８に供給されて合成情報信号ＳＣ（図４Ｃ）となされたのちビデオプロセッサ４０に供給されてγ補正などの信号処理がなされ、その後ビデオドライバー４２を経て表示装置１８に供給される。
【００３３】
第１および第２の情報信号ＳＡ，ＳＢとして図４のように既に加工された信号を使用する場合には第１と第２の情報信号ＳＡとＳＢの同期を取るだけで両者を正しく合成できる。そうでない場合には、第１の情報信号ＳＡの無効部分ＩＡと第２の情報信号ＳＢの有効部分ＶＢとが正しく一致するように制御される。
【００３４】
第２の情報信号ＳＢとしてディジタル信号を使用した場合では、現行の光ファイバー（ＩＮＳ６４ネット）の伝送率は１Ｂ（＝６４Ｋバイト）と２Ｂ（＝１２８Ｋバイト）の双方がある。ＮＴＳＣ信号レベルの画像として、水平方向に７２０ピクセルで４２０ラインを使用した毎秒３０フレームの画像情報であった場合には、データ圧縮によってもそれなりの画質を確保できるレベルとしては、
３５２ピクセル×２４０ライン、３０フレーム／秒    ・・・（１）
となる。
【００３５】
これを  １Ｍｂｐｓ位まで圧縮したとして、この圧縮率で上述した光ファイバーを通せる画枠は、１Ｂの光ファイバーを使用したときには、
６４Ｋバイト／１Ｍｂｐｓ＝１／１６    ・・・（２）
となるから、それぞれを１／４に圧縮して、
（３５２／４）×（２４０／４）＝８８ピクセル×６０ライン  ・・・（３）
となり、ほぼ１／８の画枠まで伝送することができる。
【００３６】
２Ｂの光ファイバーを使用したときには、
６４Ｋバイト／１Ｍｂｐｓ＝１／８    ・・・・（４）
となるから、それぞれを８の平方根に圧縮して、
１２４ピクセル×８４ライン  ・・・・・・・（５）
となり、ほぼ１／６の画枠まで伝送することができる。
そのため、使用する伝送路によって第２の情報信号ＳＢの画枠が設定される。
【００３７】
以上のことから、復調回路２２などは第１の情報信号処理手段として機能し、デコーダ３０、Ａ／Ｄ変換器３２、ビデオメモリ３４、Ｄ／Ａ変換器３６などは第２の情報信号処理手段として機能する。また、タイミング信号発生回路２６などは第１と第２の情報信号ＳＡ２，ＳＢの合成状態を制御する合成制御手段として機能する。
【００３８】
図５はこの発明の他の例である。この例では第１の情報信号ＳＡとしてビデオカセットレコーダ（ＶＣＲ）で再生されたアナログ画像信号を使用した場合である。
【００３９】
ＶＣＲ５０を使用する場合には、再生信号中に挿入された識別信号（ＩＤ）が検出され、これと第２の情報信号ＳＢに挿入されたＩＤとが比較され、一致したときのみ画像の合成処理が行われる。そのため、再生信号中より同期信号ＳＹＮＣが分離され、これがデコーダ５２に供給されて同期信号ＳＹＮＣとこれに含まれていたＩＤがデコードされてマイコン５４に供給される。
【００４０】
一方、端子１４ａに供給されたディジタル化された第２の情報信号ＳＢより抽出したＩＤがマイコン５４に供給されて両ＩＤが一致したときだけ画像合成処理が行われる。５６はＶＣＲ５０に対するサーボコントロール回路である。
【００４１】
デコーダ３０より出力された映像出力つまり第２の情報信号ＳＢはビデオメモリ３４に供給されてデータのライトが行われる。ライトクロック信号などはタイミング信号発生回路５８によって生成される。
【００４２】
ビデオメモリ３４よりリードされたデータはＤ／Ａ変換器３６でアナログ信号に変換されたのち、第１の情報信号ＳＡと合成されるのは図１の場合と同様であり、その後の処理も同じである。キーボード２０はマイコン５４に接続される。
【００４３】
上述した実施例では第１の情報信号ＳＡは地上波の信号を例示したが、パッケージメディアでもよく、第２の情報信号ＳＢとしては光ファイバーで伝送された信号を例示したが、衛星放送波などを利用してもよい。
【００４４】
【発明の効果】
以上のように、この発明に係る情報処理装置では第１と第２の情報信号を合成して始めて意味のある画像内容となるようにしたものである。
【００４５】
これによれば、第２の情報信号が主画面を構成し、第１の情報信号は補助画面を構成するものとすれば、補助画面のみでは画面全体の情報を知ることができないので、補助画面を見てユーザがその情報を価値あるものと感じたとき、主画面情報を入手することによって完全な情報が提供されることになる。
【００４６】
また、例えば第１の情報を無料で提供する代わりに、第１の情報とは別の伝送路を経て供給される第２の情報を有償で提供することができるので、家庭内の端末装置として衛星放送波受信手段や光ファイバー端末が設置されるようになったときにはこの伝送システムが特に有効となる。
【図面の簡単な説明】
【図１】この発明に係る情報処理装置の一例を示す系統図である。
【図２】その概念図である。
【図３】動作説明に供する画像構成例を示す図である。
【図４】動作波形図である。
【図５】この発明の他の例を示す系統図である。
【符号の説明】
１０  情報処理装置
１２  アンテナ
１４  光ファイバー端子
１６  信号処理手段
１８  表示装置
２０  キーボード
３８  加算器
３４  ビデオメモリ
５０  ＶＣＲ
【図１】
0003606591.tif 000002
【図２】
0003606591.tif 000003
【図３】
0003606591.tif 000004
【図４】
0003606591.tif 000005
【図５】
0003606591.tif 000006